(57)【要約】【課題】本体に形成された開口への板部の着脱の際に、本体に傷がつきにくい送風機を得ること。【解決手段】送風機は、第１面に第１の開口が形成された本体と、本体の内部に設けられたファンと、空気の通過可能な通風口が形成されて、第１の開口の内側に差し込まれた鋼板製の第１の板５と、を備える。第１の板５の外周縁には、第１の板５を第１の開口に差し込む差し込み方向に沿って立ち上げられた第１の立ち上がり部５ｂが形成され、第１の立ち上がり部５ｂには、第１の立ち上がり部５ｂの先端を第１の立ち上がり部５ｂの立ち上がり方向と逆方向に曲げた第１の折り曲げ部５ｃが設けられている。【選択図】図４
2020134013.tif 000002
【特許請求の範囲】
【請求項１】
第１面に第１の開口が形成された本体と、
前記本体の内部に設けられたファンと、
空気の通過可能な通風口が形成されて、前記第１の開口の内側に差し込まれた鋼板製の第１の板と、を備え、
前記第１の板の外周縁には、前記第１の板を前記第１の開口に差し込む差し込み方向に沿って立ち上げられた第１の立ち上がり部が形成され、
前記第１の立ち上がり部には、前記第１の立ち上がり部の先端を前記第１の立ち上がり部の立ち上がり方向と逆方向に曲げた第１の折り曲げ部が設けられていることを特徴とする送風機。
【請求項２】
前記第１の立ち上がり部は、前記第１の板の外周縁を複数回折り曲げて形成されることを特徴とする請求項１に記載の送風機。
【請求項３】
前記本体の内部に設けられて前記ファンを回転させるモーターと、
前記モーターが固定された鋼板製の第２の板と、をさらに備え、
前記本体には、前記第１面と異なる面に形成された第２の開口が形成され、
前記第２の板は、前記第２の開口の内側に差し込まれ、
前記第２の板の外周縁には、前記第２の板を前記第２の開口に差し込む差し込み方向に沿って立ち上げられた第２の立ち上がり部が形成され、
前記第２の立ち上がり部には、前記第２の立ち上がり部の先端を前記第２の立ち上がり部の立ち上がり方向と逆方向に曲げた第２の折り曲げ部が設けられていることを特徴とする請求項１または２に記載の送風機。
【請求項４】
前記第２の立ち上がり部は、前記第２の板の外周縁を複数回折り曲げて形成されることを特徴とする請求項３に記載の送風機。
【請求項５】
前記第２の板は、前記第１の開口を通して前記本体に着脱可能とされていることを特徴とする請求項３または４に記載の送風機。
【請求項６】
前記第１の板には、ベルマウスおよび回路部品が取り付けられていることを特徴とする請求項１から５のいずれか１つに記載の送風機。
【発明の詳細な説明】
【技術分野】
【０００１】
本発明は、着脱可能な板が本体の開口に取り付けられた送風機に関する。
【背景技術】
【０００２】
特許文献１には、本体の内部にファンが設けられた送風機が開示されている。このような送風機では、本体の１面に開口を設け、その開口を通してファン等のメンテナンスを可能としている。本体には、開口の一部を塞ぐ板部が着脱可能に取り付けられている。メンテナンスを行う際には、本体から板部が取り外される。
【先行技術文献】
【特許文献】
【０００３】
【特許文献１】特許第５６０６３８６号公報
【発明の概要】
【発明が解決しようとする課題】
【０００４】
しかしながら、特許文献１に開示された構成では、板部を着脱する際に、板部が本体に引っ掛かることで本体に傷がつきやすいという問題があった。本体に傷がついてしまうと、本体の強度の低下を招いてしまう場合がある。また、塗装された鋼板で本体が形成されている場合には、傷がつくことで塗装が剥げてしまい、傷がついた部分で錆が発生しやすくなるという問題があった。
【０００５】
本発明は、上記に鑑みてなされたものであって、本体に形成された開口への板部の着脱の際に、本体に傷がつきにくい送風機を得ることを目的とする。
【課題を解決するための手段】
【０００６】
上述した課題を解決し、目的を達成するために、本発明は、第１面に第１の開口が形成された本体と、本体の内部に設けられたファンと、空気の通過可能な通風口が形成されて、第１の開口の内側に差し込まれた鋼板製の第１の板と、を備える。第１の板の外周縁には、第１の板を第１の開口に差し込む差し込み方向に沿って立ち上げられた第１の立ち上がり部が形成され、第１の立ち上がり部には、第１の立ち上がり部の先端を第１の立ち上がり部の立ち上がり方向と逆方向に曲げた第１の折り曲げ部が設けられている。
【発明の効果】
【０００７】
本発明によれば、本体に形成された開口への板部の着脱の際に、本体に傷がつきにくい送風機を得ることができるという効果を奏する。
【図面の簡単な説明】
【０００８】
【図１】本発明の実施の形態１にかかる送風機の底面図
【図２】図１に示したＩＩ−ＩＩ線に沿った断面図
【図３】図１に示したＩＩ−ＩＩ線に沿った断面図であって、換気扇本体をより模式的に示した図
【図４】実施の形態１における第１の立ち上がり部の部分拡大図
【図５】実施の形態１にかかる送風機の底面図であって、第１の板を取り外した状態を示す図
【図６】実施の形態１にかかる送風機を第１面側から見た分解斜視図
【図７】実施の形態１にかかる送風機を第２面側から見た斜視図
【図８】実施の形態１における第１の立ち上がり部および第２の立ち上がり部の第１の変形例を示す図
【図９】実施の形態１における第１の立ち上がり部および第２の立ち上がり部の第２の変形例を示す図
【発明を実施するための形態】
【０００９】
以下に、本発明の実施の形態にかかる送風機を図面に基づいて詳細に説明する。なお、この実施の形態によりこの発明が限定されるものではない。
【００１０】
実施の形態１．
図１は、本発明の実施の形態１にかかる送風機の底面図である。図２は、図１に示したＩＩ−ＩＩ線に沿った断面図である。送風機１００は、室内の空気を吸い込んで室外に排気するダクト用換気扇である。
【００１１】
送風機１００は、本体である換気扇本体２を備える。図３は、図１に示したＩＩ−ＩＩ線に沿った断面図であって、換気扇本体をより模式的に示した図である。換気扇本体２の第１面２ｃには第１の開口２ｄが形成されている。第１の開口２ｄには、第１の開口２ｄに差し込まれた鋼板製の第１の板５が設けられている。第１の板５は、空気の通過が可能な通風口５ａが形成されたオリフィスである。
【００１２】
第１の板５の外周縁には、第１の板５を第１の開口２ｄに差し込む差し込み方向に沿って立ち上げられた第１の立ち上がり部５ｂが形成されている。第１の立ち上がり部５ｂは、第１の板５の外周縁を折り曲げて形成されている。第１の立ち上がり部５ｂは、換気扇本体２の内側面に密着する。第１の立ち上がり部５ｂの立ち上がり方向は、例示した方向と逆方向であってもよい。
【００１３】
図４は、実施の形態１における第１の立ち上がり部の部分拡大図である。第１の立ち上がり部５ｂには、第１の立ち上がり部５ｂの先端を第１の立ち上がり部５ｂの立ち上がり方向と逆方向に曲げた端部処理構造である第１の折り曲げ部５ｃが設けられている。なお、図４に示す例では、第１の折り曲げ部５ｃは、密着曲げ返し構造で形成されている。
【００１４】
図３に戻って、換気扇本体２の第１面２ｃと異なる第２面２ｅには第２の開口２ｆが形成されている。第２の開口２ｆには、第２の開口２ｆに差し込まれた鋼板製の第２の板２２が設けられている。第２の板２２には、後述するモーター３を固定するための固定用開口２２ｂが形成されている。第２の板２２の外周縁には、第２の板２２を第２の開口２ｆに差し込む差し込み方向に沿って立ち上げられた第２の立ち上がり部２２ａが形成されている。第２の立ち上がり部２２ａは、第２の板２２の外周縁を折り曲げて形成されている。第２の立ち上がり部２２ａは、換気扇本体２の内側面に密着する。第２の立ち上がり部２２ａの立ち上がり方向は、例示した方向と逆方向であってもよい。
【００１５】
第２の立ち上がり部２２ａは、第１の立ち上がり部５ｂと同様の構成であるため、図４に第２の立ち上がり部２２ａに関する符号を付して詳細な構成を説明する。第２の立ち上がり部２２ａは、第２の立ち上がり部２２ａの先端を第２の立ち上がり部２２ａの立ち上がり方向と逆方向に曲げた端部処理構造である第２の折り曲げ部２２ｃが設けられている。図４に示す例では、第２の折り曲げ部２２ｃは、密着曲げ返し構造で形成されている。
【００１６】
図５は、実施の形態１にかかる送風機の底面図であって、第１の板を取り外した状態を示す図である。図６は、実施の形態１にかかる送風機を第１面側から見た分解斜視図である。図７は、実施の形態１にかかる送風機を第２面側から見た斜視図である。図１，２，５，６，７に示すように、送風機１００は、換気扇本体２の側部に設けられ換気扇本体２の側面から直角方向に延び、気流の吐出口となる排気口１０をダクト１４に連通する位置まで延長するダクト接続口８と、換気する空気を流通させる換気駆動体であるファン４とを有している。送風機１００は、天井２５に開口を設け、室内外を連通させるダクト１４に室内側からダクト接続口８を挿入して室内の空気を室外に排気する。
【００１７】
換気扇本体２の内部には、内部に風路を形成する風路部品６が設けられている。送風機１００は、天井２５に形成された開口を通じて天井裏に配置され、屋外に通じるダクト１４に室内側からダクト接続口８を挿入して設置される。
【００１８】
送風機１００は、天井２５に開けられた開口である本体埋込穴２６に埋込み、換気扇本体２のフランジ２ａに設けられたねじ穴２７を通じて天井２５にねじを打ち込むことで固定される。送風機１００は、第１の板５といった内部部品が見えて見栄えが悪くならないようにするため意匠部品である化粧グリル１２を備える。化粧グリル１２は、本体取付用のスプリング１３を備えており、スプリング１３を第１の板５に設けられているスプリング固定部品７に引っ掛けることにより固定される。
【００１９】
換気扇本体２は、第１面２ｃおよび第２面２ｅと異なる側面に排気口１０が設けられている。換気扇本体２は、第１面２ｃに設けられた第１の板５に形成された通風口５ａが吸気口をなす。排気口１０にはダクト接続口８が接続される。
【００２０】
換気扇本体２の第２面２ｅに設けられた第２の板２２には、モーター３が取り付けられる。モーター３は、第２の板２２に取り付けられた状態で、第２の板２２に形成された固定用開口２２ｂを一部が貫通している。モーター３の駆動軸にはファン４が取り付けられている。
【００２１】
第２の板２２は、第１の開口２ｄ側からねじ３２で固定されている。第２の板２２は、ねじ３２を取り外すことで、モーター３およびファン４と一体に換気扇本体２から第１の開口２ｄ側に取り外し可能となっている。すなわち、第２の板２２は、換気扇本体２の第１の開口２ｄを通じて換気扇本体２に着脱可能となっている。ファン４は、モーター３によって回転されることで、通風口５ａから換気扇本体２の内部に室内の空気を吸い込み、吸い込んだ空気を排気口１０から流出させる気流を形成する。
【００２２】
電線接続装置２０とモーター３とは、モーター電線により電気的に接続されている。電線接続装置２０は、端子カバー１１にて風路部と隔離されており、埃や湿気の侵入を抑制している。外部電源電線を通じて供給された電力が電線接続装置２０を介しモーター電線からモーター３に流れることで、電気エネルギーがモーター３のシャフトの回転運動に変換される。モーター３が回転運動をファン４に伝えることでファン４が回転し、風路部品６と第１の板５で形成された風路内に空気の流れが形成される。
【００２３】
ダクト接続口８は、径の異なる段状の外形を有している。ダクト接続口８の外形が径の異なる段状であることにより、径が異なるダクト１４に接続することが可能であるとともに、テーピングなどの作業性が向上する。ダクト接続口８内には、風圧にて開閉するシャッタ９が設けられている。シャッタ９は、送風機１００の運転時には風圧で開き、停止時はシャッタ９の自重でダクト接続口８を閉鎖する。ダクト接続口８内にシャッタ９を設けることで、送風機１００の停止時に屋外からの外風が室内に侵入するのを防止することができる。ダクト１４は、屋外まで延びており建物の屋外外壁に備えたフードなどと連結し、住宅内の空気を換気する換気風路を形成している。
【００２４】
第１の板５は、風路部品６を第１の開口２ｄ側から押さえつけて固定し、風路部品６とともに換気扇本体２の内部に風路を形成する。第１の板５は換気扇本体２の側面に取り付けられる固定部品２１にねじ３３にて固定されている。第１の板５の第１面２ｃ側には、スプリング固定部品７、ベルマウス２３、回路部品２４といった部品がねじ固定または係止めにて取り付けられている。第１の板５は、ねじ３３を外すことで、スプリング固定部品７、ベルマウス２３、回路部品２４とともに換気扇本体２の第１の開口２ｄ側から取外し可能となっている。
【００２５】
以上説明した送風機では、換気扇本体２の第１の開口２ｄを通して第１の板５および第２の板２２を差し込んだり、引き抜いたりして換気扇本体２に着脱することができる。また、第１の板５の第１の立ち上がり部５ｂの先端には第１の折り曲げ部５ｃが設けられており、第２の板２２の第２の立ち上がり部２２ａの先端には第２の折り曲げ部２２ｃが設けられている。そのため、第１の板５または第２の板２２の着脱の際に、これらの先端が換気扇本体２の内側面を削って傷をつけてしまうことを防ぐことができる。
【００２６】
図８は、実施の形態１における第１の立ち上がり部および第２の立ち上がり部の第１の変形例を示す図である。第１の立ち上がり部５ｂの第１の折り曲げ部５ｃおよび第２の立ち上がり部２２ａの第２の折り曲げ部２２ｃは、図８に示すようにカーリングによって形成されて、断面形状が円筒形状となっていてもよい。
【００２７】
図９は、実施の形態１における第１の立ち上がり部および第２の立ち上がり部の第２の変形例を示す図である。図９に示すように、第１の立ち上がり部５ｂおよび第２の立ち上がり部２２ａは、第１の板５または第２の板２２を２回折り曲げて形成されている。なお、第１の立ち上がり部５ｂおよび第２の立ち上がり部２２ａを形成するための折り曲げ回数は２回に限られず、３回以上であってもよい。このように、複数回の折り曲げによって第１の立ち上がり部５ｂおよび第２の立ち上がり部２２ａを形成すれば、第１の板５および第２の板２２を換気扇本体２の内部にスムーズに差し込むことが可能となる。
【００２８】
なお、本実施の形態では、送風機１００として、室内の空気を室外に排気する排気用の換気扇を例示して説明したが、室外の空気を室内に給気する給気用換気扇であってもよい。また、室内で空気を循環させる循環用換気扇であってもよい。
【００２９】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３０】
２  換気扇本体、２ａ  フランジ、２ｃ  第１面、２ｄ  第１の開口、２ｅ  第２面、２ｆ  第２の開口、３  モーター、４  ファン、５  第１の板、５ａ  通風口、５ｂ  第１の立ち上がり部、５ｃ  第１の折り曲げ部、６  風路部品、７  スプリング固定部品、８  ダクト接続口、９  シャッタ、１０  排気口、１１  端子カバー、１２  化粧グリル、１３  スプリング、１４  ダクト、２０  電線接続装置、２１  固定部品、２２  第２の板、２２ａ  第２の立ち上がり部、２２ｂ  固定用開口、２２ｃ  第２の折り曲げ部、２３  ベルマウス、２４  回路部品、２５  天井、２６  本体埋込穴、２７  ねじ穴、３２，３３  ねじ、１００  送風機。
【図１】
2020134013.tif 000003
【図２】
2020134013.tif 000004
【図３】
2020134013.tif 000005
【図４】
2020134013.tif 000006
【図５】
2020134013.tif 000007
【図６】
2020134013.tif 000008
【図７】
2020134013.tif 000009
【図８】
2020134013.tif 000010
【図９】
2020134013.tif 000011